(57)【要約】【課題】  長期間付設されて布設環境の臭いが染み付いたものであっても、撤去時に作業者が不快な匂いを気にせずに作業でき、作業性が向上すること。【解決手段】  本発明の消臭機能付き電線は、上記課題を解決するために、導体と、該導体上に設けられた絶縁体とを備え、前記絶縁体上に消臭機能を有する消臭層を備えているか、若しくは前記絶縁体に消臭剤成分が練り込まれていることを特徴とする。【選択図】図１
2015060723.tif 000002
【特許請求の範囲】
【請求項１】
導体と、該導体上に設けられた絶縁体とを備え、
前記絶縁体上に消臭機能を有する消臭層を備えているか、若しくは前記絶縁体に消臭剤成分が練り込まれていることを特徴とする消臭機能付き電線。
【請求項２】
請求項１に記載の消臭機能付き電線において、
前記消臭層の消臭機能若しくは前記絶縁体に練り込まれた消臭剤成分は、樹脂に練り込まれた二化鉄イオンであることを特徴とする消臭機能付き電線。
【請求項３】
請求項２に記載の消臭機能付き電線において、
前記樹脂は、熱可塑性樹脂若しくはフッ素系樹脂であることを特徴とする消臭機能付き電線。
【請求項４】
請求項３に記載の消臭機能付き電線において、
前記熱可塑性樹脂は、ポリエチレン、ポリプロピレン、ポリスチレン、塩化ビニルのうちの１つから成ることを特徴とする消臭機能付き電線。
【請求項５】
導体及び該導体上に設けられた絶縁体から成る電線を複数本備え、該複数本の電線の周囲がシースで覆われているケーブルであって、
前記シース上に消臭機能を有する消臭層を備えているか、若しくは前記シースに消臭剤成分が練り込まれていることを特徴とする消臭機能付きケーブル。
【請求項６】
請求項５に記載の消臭機能付きケーブルにおいて、
前記消臭層の消臭機能若しくは前記シースに練り込まれた消臭剤成分は、樹脂に練り込まれた二化鉄イオンであることを特徴とする消臭機能付きケーブル。
【請求項７】
請求項６に記載の消臭機能付きケーブルにおいて、
前記樹脂は、熱可塑性樹脂若しくはフッ素系樹脂であることを特徴とする消臭機能付きケーブル。
【請求項８】
請求項７に記載の消臭機能付きケーブルにおいて、
前記熱可塑性樹脂は、ポリエチレン、ポリプロピレン、ポリスチレン、塩化ビニルのうちの１つから成ることを特徴とする消臭機能付きケーブル。
【発明の詳細な説明】
【技術分野】
【０００１】
本発明は消臭機能付き電線及びケーブルに係り、特に、布設環境雰囲気中の空気を消臭する機能を有する消臭機能付き電線及びケーブルに関するものである。
【背景技術】
【０００２】
通常、電線或いはケーブルは、屋外の地下や管路或いは屋内の天井裏等の様々な箇所に布設されるが、電線或いはケーブルを長期間布設しておくと、布設環境の臭いが染み込んでしまう。例えば、ごみ処理場の雰囲気中に電線或いはケーブルを長期間布設しておくと、電線或いはケーブルに、ごみ処理場から発生する臭いが染み込んでしまう。
【０００３】
また、電線或いはケーブルの絶縁材（被覆材）がゴム系の材料からなる場合、ゴム特有のゴム臭、架橋剤の分解残渣に起因する臭いがある。
【０００４】
更に、特許文献１には、防鼠ケーブルにおいて、導体の外周に絶縁層を設けた導体心線の外側に、臭いのある化合物（例えば、カプサイシン）を含有する防鼠層を設けることが記載されている。
【先行技術文献】
【特許文献】
【０００５】
【特許文献１】特開平１０−２２３０５８号公報
【発明の概要】
【発明が解決しようとする課題】
【０００６】
しかしながら、電線或いはケーブルをごみ処理場の雰囲気中に長期間布設しておくと、ごみ処理場の雰囲気中に晒された電線或いはケーブルの撤去時には、臭いが染み込んだ電線或いはケーブルからものすごい悪臭が漂うことから作業性が悪くなってしまう。
【０００７】
また、電線或いはケーブルの絶縁材（被覆材）がゴム系の材料からなる場合、ゴム特有のゴム臭、架橋剤の分解残渣に起因する臭いがあるため、臭いを有することが好ましくない環境では使用できないという問題がある。
【０００８】
更に、特許文献１では、防鼠層に臭いのある化合物（例えば、カプサイシン）を使用しているため、電線或いはケーブルを撤去する際に、その臭いにより作業者が気分が悪くなる恐れがあり、作業性が悪くなるという問題がある。
【０００９】
本発明は上述の点に鑑みなされたもので、その目的とするところは、長期間付設されて布設環境の臭いが染み付いたものであっても、撤去時に作業者が不快な匂いを気にせずに作業でき、作業性が向上する消臭機能付き電線及びケーブルを提供することにある。
【課題を解決するための手段】
【００１０】
本発明の消臭機能付き電線は、上記目的を達成するために、導体と、該導体上に設けられた絶縁体とを備え、前記絶縁体上に消臭機能を有する消臭層を備えているか、若しくは前記絶縁体に消臭剤成分が練り込まれていることを特徴とする。
【００１１】
また、本発明の消臭機能付きケーブルは、上記目的を達成するために、導体及び該導体上に設けられた絶縁体から成る電線を複数本備え、該複数本の電線の周囲がシースで覆われているケーブルであって、前記シース上に消臭機能を有する消臭層を備えているか、若しくは前記シースに消臭剤成分が練り込まれていることを特徴とする。
【発明の効果】
【００１２】
本発明によれば、長期間付設されて布設環境の臭いが染み付いたものであっても、撤去時に作業者が不快な匂いを気にせずに作業でき、作業性が向上する効果があり、この種、電線及びケーブルには有効である。
【図面の簡単な説明】
【００１３】
【図１】本発明の実施例１である消臭機能付き電線を示す断面図である。
【図２】本発明の実施例２である消臭機能付きケーブルを示す断面図である。
【発明を実施するための形態】
【００１４】
以下、図示した実施例に基づいて本発明の消臭機能付き電線及びケーブルを説明する。なお、各実施例において、同一構成部品には同符号を使用する。
【実施例１】
【００１５】
図１に、本発明の実施例１である消臭機能付き電線を示す。
【００１６】
該図に示す如く、本実施例の消臭機能付き電線４は、銅或いはアルミ等の導体１と、この導体１上に設けられたポリエチレン或いはゴム系材料から成る絶縁体２と、この絶縁体２上に設けられた消臭機能を有する消臭層３とから概略構成されている。
【００１７】
上述の消臭機能を有する消臭層３は、消臭剤成分を練り込んだ被覆材（樹脂を押し出したもの）を、導体１と、この導体１上に設けられた絶縁体２から成る電線の上に被覆して形成される。或いは、導体１と、この導体１上に設けられた絶縁体２から成る電線の絶縁体２に消臭剤成分を練り込む構造でも良い。なお、電線撤去時まで消臭機能をもたせるために、消臭機能の消臭持続力は、１０年以上は必要である。
【００１８】
上述した消臭剤成分としては、例えば、二化鉄イオン（Ｆｅ２＋）を原料（樹脂）に練り込んだものが好ましい。この二化鉄イオン（Ｆｅ２＋）が空気中に放出されことで、電線に染み付いた臭い分子と酸化還元反応により、臭いが消臭される。
【００１９】
従って、悪臭が漂う雰囲気に布設される電線の撤去時に、作業者が電線の不快な匂いを気にせずに撤去、処分できる。つまり、本実施例の消臭機能付き電線４は、電線撤去時に電線の不快な臭いを抑制し、工事業者が快的に撤去作業ができるような消臭機能を有するものである。
【００２０】
よって、本実施例によれば、長期間付設されて布設環境の臭いが染み付いたものであっても、撤去時に作業者が不快な匂いを気にせずに作業でき、作業性が向上する効果がある。
【００２１】
なお、消臭層３のベース樹脂としては、ポリエチレン、ポリプロピレン、ポリスチレン、塩化ビニルなどの熱可塑性樹脂が用いられるが、フッ素系樹脂であっても良い。また、消臭剤成分が練り込まれた消臭層３の厚さはできるだけ厚くすることで、消臭機能を保持できるようにすることが推奨される。
【実施例２】
【００２２】
図２に、本発明の実施例２である消臭機能付きケーブルを示す。
【００２３】
該図に示す如く、本実施例の消臭機能付きケーブル７は、銅或いはアルミ等の導体１及びこの導体１上に設けられたポリエチレン或いはゴム系材料の絶縁体２から成る電線を複数本（本実施例では４本）備え、この４本の電線がテープ等のバインダー５で固定されていると共に、そのバインダー５の周囲がクロロプレン等のシース６で覆われ、更に、シース６上に消臭機能を有する消臭層３が設置されて概略構成されている。
【００２４】
上述の消臭機能を有する消臭層３は、消臭剤成分を練り込んだ被覆材（樹脂を押し出したもの）を、シース６の上に被覆して形成される。或いは、シース６に消臭剤成分を練り込む構造でも良い。なお、ケーブル撤去時まで消臭機能をもたせるために、消臭機能の消臭持続力は、１０年以上は必要である。
【００２５】
上述した消臭剤成分としては、例えば、二化鉄イオン（Ｆｅ２＋）を原料（樹脂）に練り込んだものが好ましい。この二化鉄イオン（Ｆｅ２＋）が空気中に放出されことで、ケーブルに染み付いた臭い分子と酸化還元反応により、臭いが消臭される。
【００２６】
従って、悪臭が漂う雰囲気に布設されるケーブルの撤去時に、作業者がケーブルの不快な匂いを気にせずに撤去、処分できる。つまり、本実施例の消臭機能付きケーブル７は、電線撤去時にケーブルの不快な臭いを抑制し、工事業者が快的に撤去作業ができるような消臭機能を有するものである。
【００２７】
よって、本実施例によれば、長期間付設されて布設環境の臭いが染み付いたものであっても、撤去時に作業者が不快な匂いを気にせずに作業でき、作業性が向上する効果がある。
【００２８】
なお、消臭層３のベース樹脂としては、ポリエチレン、ポリプロピレン、ポリスチレン、塩化ビニルなどの熱可塑性樹脂が用いられるが、フッ素系樹脂であっても良い。また、消臭剤成分が練り込まれた消臭層３の厚さはできるだけ厚くすることで、消臭機能を保持できるようにすることが推奨される。
【００２９】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００３０】
１…導体、２…絶縁体、３…消臭層、４…消臭機能付き電線、５…バインダー、６…シース、７…消臭機能付きケーブル。
【図１】
2015060723.tif 000003
【図２】
2015060723.tif 000004